(57)【特許請求の範囲】
【請求項１】
第１面および第２面を有する用紙の当該第１面および当該第２面に選択的に印刷を行うプリントシステムであって、
前記第２面は、前記用紙のうち、前記第１面と反対側の面であり、
前記第１面は、当該第１面に印刷するための画像である第１印刷用画像が印刷されるための面であり、
前記第２面は、当該第２面に印刷するための画像である第２印刷用画像が印刷されるための面であり、
前記プリントシステムは、
前記第１面に前記第１印刷用画像を印刷する機能と、前記第２面に前記第２印刷用画像を印刷する機能とを有する両面印刷部と、
前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定する特定部と、
特定された前記品質影響度に基づいた、前記第１印刷用画像を加工するための処理を行う画像処理部と、を備え、
前記特定部は、前記第２印刷用画像に対し画像認識処理が行われることにより検出される、人物の顔、海の画像、または、空の画像の状態が反映された前記品質影響度を特定する
プリントシステム。
【請求項２】
前記プリントシステムは、さらに、
ユーザーが行う、前記プリントシステムに対しての操作であるユーザー操作を受付ける機能を有する入力部と、
特定された前記品質影響度を、前記ユーザーに通知するための処理を行う通知部と、を備え、
前記画像処理部は、前記入力部が、前記第１印刷用画像を加工するための前記ユーザー操作を受付けた場合、前記第１印刷用画像を加工するための処理を行う
請求項１に記載のプリントシステム。
【請求項３】
前記第１印刷用画像には、構成要素が配置されており、
前記画像処理部は、特定された前記品質影響度に基づいて、前記第１印刷用画像における前記構成要素の位置を変更し、
前記両面印刷部は、前記構成要素の位置が変更された前記第１印刷用画像を、前記第１面に印刷する
請求項１に記載のプリントシステム。
【請求項４】
前記第１印刷用画像には、構成要素が配置されており、
前記画像処理部は、特定された前記品質影響度に基づいて、前記第１印刷用画像における前記構成要素の状態を変更し、
前記両面印刷部は、前記構成要素の状態が変更された前記第１印刷用画像を、前記第１面に印刷する
請求項１に記載のプリントシステム。
【請求項５】
第１面および第２面を有する用紙の当該第１面および当該第２面に選択的に印刷を行うプリントシステムが行う印刷用画像加工方法であって、
前記第２面は、前記用紙のうち、前記第１面と反対側の面であり、
前記第１面は、当該第１面に印刷するための画像である第１印刷用画像が印刷されるための面であり、
前記第２面は、当該第２面に印刷するための画像である第２印刷用画像が印刷されるための面であり、
前記プリントシステムは、
前記第１面に前記第１印刷用画像を印刷する機能と、前記第２面に前記第２印刷用画像を印刷する機能とを有する両面印刷部を備え、
前記印刷用画像加工方法は、
前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定するステップ（ａ）と、
特定された前記品質影響度に基づいた、前記第１印刷用画像を加工するための処理を行うステップ（ｂ）と、を含み、
前記ステップ（ａ）は、前記第２印刷用画像に対し画像認識処理が行われることにより検出される、人物の顔、海の画像、または、空の画像の状態が反映された前記品質影響度を特定する
印刷用画像加工方法。
【請求項６】
前記プリントシステムは、さらに、
ユーザーが行う、前記プリントシステムに対しての操作であるユーザー操作を受付ける機能を有する入力部を備え、
前記印刷用画像加工方法は、さらに、
特定された前記品質影響度を、前記ユーザーに通知するための処理を行うステップ（ｃ）を含み、
前記ステップ（ｂ）は、前記入力部が、前記第１印刷用画像を加工するための前記ユーザー操作を受付けた場合、前記第１印刷用画像を加工するための処理を行う
請求項５に記載の印刷用画像加工方法。
【請求項７】
前記第１印刷用画像には、構成要素が配置されており、
前記ステップ（ｂ）は、特定された前記品質影響度に基づいて、前記第１印刷用画像における前記構成要素の位置を変更する
請求項５に記載の印刷用画像加工方法。
【請求項８】
前記第１印刷用画像には、構成要素が配置されており、
前記ステップ（ｂ）は、特定された前記品質影響度に基づいて、前記第１印刷用画像における前記構成要素の状態を変更する
請求項５に記載の印刷用画像加工方法。
【発明の詳細な説明】
【技術分野】
【０００１】
本発明は、用紙の両面に対し、印刷を行う機能を有するプリントシステム、およびプリントシステムが行う印刷用画像加工方法に関する。
【背景技術】
【０００２】
デジタルカメラで撮影された画像（以下、「撮影画像」ともいう）を印刷するサービスに加え、近年では、より付加価値の高いプリントサービスが提案されている。当該プリントサービスは、例えば、フォトアルバム、グリーティングカード等を提供するサービスである。
【０００３】
当該プリントサービスの提供には、用紙の両面に印刷を行うことが可能な両面プリンターが使用される。そこで、両面印刷において特有の印刷品質に関する課題に対する様々な改善手法が提案されている。
【０００４】
例えば、特許文献１では、記録紙（用紙）の表面および裏面の一方に対する印刷濃度を補正することにより、当該表面および裏面の他方における印刷状態の見栄えをよくする技術（以下、「関連技術Ａ」ともいう）が開示されている。以下においては、用紙において、印刷の対象となる面を、「印刷対象面」ともいう。また、用紙のうち、印刷対象面と反対側の面を、「反対面」ともいう。また、印刷対象面に印刷するための画像を、「印刷用画像」ともいう。
【０００５】
具体的には、関連技術Ａでは、表面および裏面において同じ位置に印刷されるプリントデータが、ピクセル毎に対照される。そして、対照結果に基づいて、印刷の濃度補正が必要であるか否かが判断される。印刷の濃度補正が必要である場合、反対面のプリントデータに基づく印刷濃度に応じて、印刷対象面の印刷濃度を補正する。
【０００６】
これにより、印刷対象面において印刷濃度が大きく変化する部分が存在する場合でも、反対面における印刷状態の見栄えをよくすることができる。すなわち、印刷対象面の印刷濃度を補正することにより、反対面における印刷品質の低下を抑制することができる。
【先行技術文献】
【特許文献】
【０００７】
【特許文献１】特開２０１３−０８６３８２号公報
【発明の概要】
【発明が解決しようとする課題】
【０００８】
しかしながら、関連技術Ａには、以下の問題点が存在する。具体的には、関連技術Ａでは、印刷を行う際に、確定しているプリントデータに対し、印刷濃度の補正を行う。そのため、関連技術Ａでは、印刷濃度の補正可能な量が限られため、印刷濃度の補正を行っても、十分な効果が得られない場合がある。そこで、用紙の印刷対象面に印刷するための印刷用画像自体を、加工することが求められる。
【０００９】
本発明は、このような問題を解決するためになされたものであり、用紙の両面に印刷する機能を有し、当該用紙に印刷するための印刷用画像を加工可能なプリントシステム等を提供することを目的とする。
【課題を解決するための手段】
【００１０】
上記目的を達成するために、本発明の一態様に係るプリントシステムは、第１面および第２面を有する用紙の当該第１面および当該第２面に選択的に印刷を行う。前記第２面は、前記用紙のうち、前記第１面と反対側の面であり、前記第１面は、当該第１面に印刷するための画像である第１印刷用画像が印刷されるための面であり、前記第２面は、当該第２面に印刷するための画像である第２印刷用画像が印刷されるための面であり、前記プリントシステムは、前記第１面に前記第１印刷用画像を印刷する機能と、前記第２面に前記第２印刷用画像を印刷する機能とを有する両面印刷部と、前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定する特定部と、特定された前記品質影響度に基づいた、前記第１印刷用画像を加工するための処理を行う画像処理部と、を備え、前記特定部は、前記第２印刷用画像に対し画像認識処理が行われることにより検出される、人物の顔、海の画像、または、空の画像の状態が反映された前記品質影響度を特定する。
【発明の効果】
【００１１】
本発明によれば、両面印刷部は、用紙の第１面に第１印刷用画像を印刷する機能と、用紙の第２面に第２印刷用画像を印刷する機能とを有する。画像処理部は、品質影響度に基づいた、前記第１印刷用画像を加工するための処理を行う。
【００１２】
これにより、用紙の両面に印刷する機能を有し、当該用紙に印刷するための印刷用画像を加工可能なプリントシステムを提供することができる。
【図面の簡単な説明】
【００１３】
【図１】本発明の実施の形態１に係るプリントシステムの構成を示すブロック図である。
【図２】生成用画像の一例を示す図である。
【図３】本発明の実施の形態１に係る品質対応処理のフローチャートである。
【図４】印刷用画像の一例を示す図である。
【図５】本発明の実施の形態２に係るプリントシステムの構成を示すブロック図である。
【図６】本発明の実施の形態２に係る品質対応処理Ａのフローチャートである。
【図７】本発明の実施の形態３に係るプリントシステムの構成を示すブロック図である。
【図８】本発明の実施の形態３に係る品質対応処理Ｂのフローチャートである。
【図９】プリントシステムの特徴的な機能構成を示すブロック図である。
【図１０】プリントシステムのハードウエア構成図である。
【発明を実施するための形態】
【００１４】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１５】
＜実施の形態１＞
図１は、本発明の実施の形態１に係るプリントシステム１０００の構成を示すブロック図である。プリントシステム１０００は、用紙４に画像を印刷するシステムである。用紙４は、面４ａおよび面４ｂを有する。面４ｂは、用紙４のうち、面４ａと反対側の面である。なお、用紙４の主面（表面）は、面４ａおよび面４ｂのいずれであってもよい。具体的には、プリントシステム１０００は、用紙４の面４ａおよび面４ｂに選択的に印刷を行う。
【００１６】
図１を参照して、プリントシステム１０００は、画像取得部１０と、印刷データ生成部２００と、特定部２２３と、通知部２２４と、印刷管理部５００と、両面印刷部６００と、スピーカー（図示せず）とを備える。
【００１７】
画像取得部１０は、プリントシステム１０００に設けられた記録媒体挿入部（図示せず）に、画像が記憶されている記録媒体Ｍ１が挿入された場合、当該記録媒体Ｍ１から当該画像を読み出す。画像取得部１０は、例えば、メモリカードにアクセス可能なカードリーダーである。記録媒体Ｍ１は、例えば、カード型メディア等である。当該カード型メディアは、例えば、ＳＤ（Secure Digital）メモリカードである。
【００１８】
なお、記録媒体Ｍ１は、ＣＤ（Compact Disc）、ＤＶＤ（Digital Versatile Disk）等のディスク媒体であってもよい。
【００１９】
以下においては、記録媒体挿入部（図示せず）に、記録媒体Ｍ１が挿入された状態を、「媒体アクセス可能状態」ともいう。媒体アクセス可能状態は、画像取得部１３０が、記録媒体Ｍ１にアクセス可能な状態である。
【００２０】
両面印刷部６００は、用紙４に画像を印刷する機能を有する装置である。
【００２１】
以下においては、面４ａに印刷するための画像を、「印刷用画像Ｐｇａ」または「Ｐｇａ」ともいう。すなわち、面４ａは、印刷用画像Ｐｇａが印刷されるための面である。また、以下においては、面４ｂに印刷するための画像を、「印刷用画像Ｐｇｂ」または「Ｐｇｂ」ともいう。すなわち、面４ｂは、印刷用画像Ｐｇｂが印刷されるための面である。
【００２２】
また、以下においては、印刷用画像Ｐｇａおよび印刷用画像Ｐｇｂの各々を、総括的に、「印刷用画像Ｐｇ」または「Ｐｇ」ともいう。以下においては、用紙４の面４ａまたは面４ｂに、印刷用画像Ｐｇを印刷するためのデータを、「両面印刷データＰｄｗ」または「Ｐｄｗ」ともいう。両面印刷データＰｄｗは、印刷用画像Ｐｇａまたは印刷用画像Ｐｇｂを生成するためのデータである。
【００２３】
両面印刷部６００は、面４ａに印刷用画像Ｐｇａを印刷する機能と、面４ｂに印刷用画像Ｐｇｂを印刷する機能とを有する。
【００２４】
印刷データ生成部２００は、両面印刷データＰｄｗを生成する機能を有する装置である。印刷データ生成部２００は、例えば、ＰＣ（Personal Computer）である。
【００２５】
印刷データ生成部２００は、表示部２１０と、制御部２２０と、入力部２３０と、記憶部２４０とを含む。表示部２１０は、画像を表示する装置である。表示部２１０は、例えば、液晶ディスプレイである。表示部２１０は、画像を表示するための画面を有する。当該画面は、例えば、透明なガラスで構成される。
【００２６】
制御部２２０は、プリントシステム１０００が備える各構成要件を制御する。構成要件は、例えば、表示部２１０、入力部２３０等である。また、制御部２２０は、後述の各種処理を行う。制御部２２０は、例えば、ＣＰＵ（Central Processing Unit）等のプロセッサである。
【００２７】
制御部２２０は、画像処理部２２２を含む。画像処理部２２２は、制御部２２０により実行されるプログラムのモジュールである。なお、画像処理部２２２は、専用のハードウエアで構成されてもよい。画像処理部２２２が行う処理については、後述する。
【００２８】
入力部２３０は、ユーザーが、プリントシステム１０００に対し指示を与えるためのインタフェースである。入力部２３０は、例えば、タッチパネル、キーボード、マウスを含む。タッチパネルの形状は、シート状である。タッチパネルは、透明な部材で構成される。入力部２３０のタッチパネルは、表示部２１０の画面の表面に設けられる。
【００２９】
ユーザーは、入力部２３０を用いた操作を行うことにより、メニューの選択、印刷枚数、画像の選択等の操作を行うことができる。以下においては、ユーザーが、入力部２３０のタッチパネルを使用して行う操作を、「操作Ｔｕ」または「ユーザー操作」ともいう。操作Ｔｕは、ユーザーが行う、プリントシステム１０００に対しての操作（ユーザー操作）である。操作Ｔｕは、例えば、ユーザーの指をタッチパネルに接触させる操作である。入力部２３０は、操作Ｔｕ（ユーザー操作）を受付ける機能を有する。
【００３０】
記憶部２４０は、データを記憶する機能を有する。
【００３１】
特定部２２３および通知部２２４が行う処理については後述する。特定部２２３および通知部２２４の各々は、専用のハードウエアで構成される。なお、特定部２２３および通知部２２４の各々は、プロセッサにより実行されるプログラムのモジュールであってもよい。
【００３２】
印刷管理部５００は、両面印刷部６００を制御する機能を有する。両面印刷部６００は、印刷管理部５００による制御に従って、前述の印刷用画像Ｐｇ等の印刷を行う。
【００３３】
なお、印刷用画像Ｐｇは、専用のプログラム（ソフトウエア）により生成される。以下においては、印刷用画像Ｐｇを生成するためのプログラムを、「画像生成プログラムＰｇｉ」ともいう。また、以下においては、印刷用画像Ｐｇを生成するための画像を、「生成用画像」ともいう。生成用画像は、制御部２２０が画像生成プログラムＰｇｉを実行することにより、表示部２１０により表示される画像である。
【００３４】
生成用画像は、例えば、図２の生成用画像Ｇ１０である。図２において、Ｘ方向およびＹ方向の各々は、互いに直交する。以下の図に示されるＸ方向およびＹ方向の各々も、互いに直交する。
【００３５】
以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｘ軸方向およびＹ軸方向を含む平面を、「ＸＹ面」ともいう。
【００３６】
図２を参照して、生成用画像Ｇ１０には、領域Ｒ１と、枠Ｆｒ１とが配置される。以下においては、印刷用画像Ｐｇの生成に使用される構成要素を、「構成要素Ｃｐ」ともいう。領域Ｒ１には、複数種類の構成要素Ｃｐが配置される。図２の領域Ｒ１内には、一例として、複数種類の構成要素Ｃｐとして、構成要素Ｃｐ１，Ｃｐ２，Ｃｐ３が示される。
【００３７】
また、以下においては、印刷用画像Ｐｇを装飾するための画像を、「装飾画像」ともいう。装飾画像は、例えば、スタンプ等の画像である。例えば、構成要素Ｃｐ２，Ｃｐ３の各々は、装飾画像である。なお、記憶部２４０には、複数種類の装飾画像が予め記憶されている。
【００３８】
枠Ｆｒ１は、当該枠Ｆｒ１内に、印刷用画像Ｐｇａまたは印刷用画像Ｐｇｂである印刷用画像Ｐｇを示す枠である。枠Ｆｒ１の形状は、矩形状である。図２では、枠Ｆｒ１内に、一例として、印刷用画像Ｐｇとしての印刷用画像Ｐｇ１が示されている。印刷用画像Ｐｇ１は、一例として、領域Ｒ１内の構成要素Ｃｐ１，Ｃｐ２，Ｃｐ３を使用して、ユーザーが操作Ｔｕを行うことにより生成された画像である。印刷用画像Ｐｇ１は、一例として、拡大された構成要素Ｃｐ１と、構成要素Ｃｐ２，Ｃｐ３とを示す。
【００３９】
次に、印刷用画像Ｐｇを生成するための処理（以下、「印刷用画像生成処理」ともいう）について説明する。以下においては、図２の生成用画像Ｇ１０における、領域Ｒ１内の構成要素Ｃｐ１，Ｃｐ２，Ｃｐ３、および、枠Ｆｒ１内の構成要素Ｃｐ１，Ｃｐ２，Ｃｐ３が省略された当該生成用画像Ｇ１０を、「生成用画像Ｇｎ」ともいう。
【００４０】
ここで、以下の前提Ｐｒ１を考慮する。前提Ｐｒ１では、図２の印刷用画像Ｐｇ１を生成するための処理が行われる。また、前提Ｐｒ１では、画像生成プログラムＰｇｉが実行されることにより、表示部２１０は、生成用画像Ｇｎを表示している。
【００４１】
また、前提Ｐｒ１では、記憶部２４０に、装飾画像としての構成要素Ｃｐ２，Ｃｐ３が記憶されている。また、前提Ｐｒ１では、画像が記憶されている記録媒体Ｍ１を、ユーザーが所持している。
【００４２】
以下においては、記録媒体Ｍ１に記憶されている画像を、「記憶画像」ともいう。また、以下においては、デジタルスチルカメラにより被写体を撮影することにより得られた画像を、「撮影画像」ともいう。撮影画像は、例えば、人物、海、空、夜景等を示す画像である。記録媒体Ｍ１に記憶されている記憶画像は、例えば、撮影画像である。
【００４３】
また、前提Ｐｒ１では、記録媒体Ｍ１に記憶されている記憶画像（撮影画像）は、一例として、図２の領域Ｒ１内に示される構成要素Ｃｐ１である。
【００４４】
図２の印刷用画像Ｐｇ１は、撮影画像である構成要素Ｃｐ１と、構成要素Ｃｐ２，Ｃｐ３とを示す。前提Ｐｒ１では、当該構成要素Ｃｐ２，Ｃｐ３は、構成要素Ｃｐ１を装飾するための装飾画像である。
【００４５】
まず、ユーザーが、プリントシステム１０００に設けられた記録媒体挿入部に、記録媒体Ｍ１を挿入する。これにより、前提Ｐｒ１における印刷用画像生成処理では、まず、画像取得処理が行われる。画像取得処理では、画像取得部１０が、記録媒体Ｍ１および記憶部２４０の両方または一方から、画像を読み出すことにより、当該画像を取得する。
【００４６】
前提Ｐｒ１における画像取得処理では、画像取得部１０が、記録媒体Ｍ１から記憶画像（構成要素Ｃｐ１）を読み出すことにより、当該記憶画像を取得する。また、画像取得部１０が、記憶部２４０から、装飾画像としての構成要素Ｃｐ２，Ｃｐ３を読み出すことにより、当該構成要素Ｃｐ２，Ｃｐ３を取得する。
【００４７】
以下においては、図２の生成用画像Ｇ１０における、枠Ｆｒ１内の構成要素Ｃｐ１，Ｃｐ２，Ｃｐ３が省略された当該生成用画像Ｇ１０を、「生成用画像Ｇ１」ともいう。
【００４８】
次に、画像取得処理の後、取得された画像を表示するための表示処理が行われる。前提Ｐｒ１における表示処理では、制御部２２０が、生成用画像Ｇ１を生成する。なお、生成用画像Ｇ１の領域Ｒ１内の構成要素Ｃｐ１は、画像取得処理により取得された記憶画像である。
【００４９】
そして、表示部２１０は、生成された生成用画像Ｇ１を表示する。これにより、ユーザーは、記憶画像としての構成要素Ｃｐ１を、確認することができる。
【００５０】
生成用画像Ｇ１の領域Ｒ１内に示される構成要素Ｃｐ１，Ｃｐ２，Ｃｐ３の各々は、ユーザーによる移動操作Ｍｕ１により、当該生成用画像Ｇ１内の任意の位置へ移動させることが可能な画像である。当該移動操作Ｍｕ１は、例えば、ドラッグ・アンド・ドロップにより、画像を移動させるための操作Ｔｕである。
【００５１】
また、構成要素Ｃｐとしての構成要素Ｃｐ１，Ｃｐ２，Ｃｐ３の各々は、ユーザーによるサイズ変更操作Ｍｕ２により、任意のサイズに変更可能な画像である。当該サイズ変更操作Ｍｕ２は、ピンチイン操作またはピンチアウト操作である。
【００５２】
ピンチイン操作は、画像を縮小するための操作（以下、「画像縮小操作」ともいう）である。ピンチイン操作は、例えば、タッチパネルに表示される画像に２本の指を接触させた状態で、当該２本の指を互いに近づける操作である。ピンチアウト操作は、画像を拡大するための操作（以下、「画像拡大操作」ともいう）である。ピンチアウト操作は、例えば、タッチパネルに表示される画像に２本の指を接触させた状態で、当該２本の指の間隔を大きくする操作である。
【００５３】
ここで、以下の前提Ｐｒ１Ａを考慮する。前提Ｐｒ１Ａは、前述の全ての前提Ｐｒ１を含む。また、前提Ｐｒ１Ａでは、表示部２１０が生成用画像Ｇ１を表示している状態で、ユーザーが、領域Ｒ１内の構成要素Ｃｐ１，Ｃｐ２，Ｃｐ３を使用して、図２の印刷用画像Ｐｇ１を生成するための操作を行う。具体的には、前提Ｐｒ１Ａでは、表示部２１０が生成用画像Ｇ１を表示している状態で、ユーザーが、以下の移動操作Ｍｕ１およびサイズ変更操作Ｍｕ２を行う。
【００５４】
前提Ｐｒ１Ａにおける移動操作Ｍｕ１は、生成用画像Ｇ１の領域Ｒ１内の構成要素Ｃｐ１を枠Ｆｒ１内に移動させるための操作Ｍｕ１ａと、領域Ｒ１内の構成要素Ｃｐ２，Ｃｐ３を枠Ｆｒ１内に移動させるための操作Ｍｕ１ｂとを含む。前提Ｐｒ１Ａにおけるサイズ変更操作Ｍｕ２は、操作Ｍｕ１ａにより、枠Ｆｒ１内に移動した構成要素Ｃｐ１を拡大するためのピンチアウト操作である。
【００５５】
印刷用画像生成処理では、印刷用画像Ｐｇを生成するための操作、印刷用画像Ｐｇを加工するための操作等が行われた場合、画像構成処理が行われる。
【００５６】
前提Ｐｒ１Ａにおける移動操作Ｍｕ１およびサイズ変更操作Ｍｕ２が行われた場合、画像構成処理において、画像処理部２２２が、図２の印刷用画像Ｐｇ１を生成する。そして、表示部２１０は、生成された印刷用画像Ｐｇ１を示す、図２の生成用画像Ｇ１０を表示する。
【００５７】
以下においては、印刷用画像Ｐｇを構成するためのデータを、「印刷データＰｄ」ともいう。印刷データＰｄは、印刷用画像Ｐｇに含まれる１以上の構成要素Ｃｐの形状、大きさ、位置等を示すデータである。構成要素Ｃｐの位置とは、印刷用画像Ｐｇにおける、当該構成要素Ｃｐが配置されている位置（座標）である。
【００５８】
また、以下においては、印刷用画像Ｐｇａに対応する印刷データＰｄを、「印刷データＰｄａ」ともいう。また、以下においては、印刷用画像Ｐｇｂに対応する印刷データＰｄを、「印刷データＰｄｂ」ともいう。
【００５９】
また、印刷用画像生成処理では、画像構成処理と独立して、印刷データ生成処理が行われる。印刷データ生成処理では、制御部２２０が、生成された印刷用画像Ｐｇに基づいて、印刷データＰｄを生成する。そして、制御部２２０は、両面印刷データＰｄｗとして、印刷用画像Ｐｇに対応する印刷データＰｄを記憶部２４０に記憶させる。
【００６０】
前提Ｐｒ１Ａにおける印刷データ生成処理では、制御部２２０が、印刷用画像Ｐｇ１に基づいて、印刷用画像Ｐｇ１に対応する印刷データＰｄを生成し、当該印刷データＰｄを記憶部２４０に記憶させる。前提Ｐｒ１Ａにおける印刷データ生成処理により生成された印刷データＰｄは、構成要素Ｃｐ１，Ｃｐ２，Ｃｐ３の形状、大きさ、位置等を示す。
【００６１】
なお、生成された印刷用画像Ｐｇを加工（編集）するための加工操作が、ユーザーにより行われる場合もある。当該加工操作は、印刷用画像Ｐｇを加工するための操作Ｔｕである。加工操作は、例えば、印刷用画像Ｐｇにおける構成要素Ｃｐの位置を変更する操作Ｔｕである。
【００６２】
印刷用画像生成処理では、加工操作が行われる毎に、画像構成処理および印刷データ生成処理が行われる。加工操作が行われた場合、画像構成処理では、画像処理部２２２が、当該加工操作に従って印刷用画像Ｐｇを加工する。すなわち、画像処理部２２２により、加工された印刷用画像Ｐｇが生成される。また、加工操作が行われた場合、印刷データ生成処理では、制御部２２０が、生成された印刷用画像Ｐｇに基づいて、当該印刷用画像Ｐｇに対応する印刷データＰｄを生成する。そして、制御部２２０は、両面印刷データＰｄｗとして、印刷データＰｄを記憶部２４０に記憶させる。すなわち、加工操作が行われる毎に、印刷データＰｄは変更される。
【００６３】
ユーザーが画像生成終了操作を行った場合、印刷用画像生成処理は終了する。画像生成終了操作は、印刷用画像Ｐｇの生成または加工を行うことを終了するための操作Ｔｕである。前提Ｐｒ１および前提Ｐｒ１Ａにおける印刷用画像生成処理が行われている際に、画像生成終了操作が行われた場合、前提Ｐｒ１および前提Ｐｒ１Ａにおける印刷用画像生成処理は終了する。
【００６４】
なお、印刷用画像Ｐｇａおよび印刷用画像Ｐｇｂの両方を生成するためには、前述の印刷用画像生成処理と同様な処理が２回行われる。具体的には、印刷用画像Ｐｇａに対応する印刷用画像生成処理と、印刷用画像Ｐｇｂに対応する印刷用画像生成処理とが行われる。
【００６５】
これにより、印刷データ生成部２００の制御部２２０は、両面印刷データＰｄｗとしての印刷データＰｄａおよび印刷データＰｄｂを生成する。また、制御部２２０は、当該印刷データＰｄａおよび印刷データＰｄｂを、記憶部２４０に記憶させる。
【００６６】
印刷データＰｄａは、例えば、印刷用画像Ｐｇａに含まれる１以上の構成要素Ｃｐの形状、大きさ、位置等を示す。
【００６７】
印刷データＰｄｂは、印刷用画像Ｐｇｂに含まれる１以上の構成要素Ｃｐの形状、大きさ、位置等を示す。
【００６８】
印刷用画像Ｐｇａおよび印刷用画像Ｐｇｂの生成が完了した後、ユーザーは、印刷注文を行うための印刷注文操作を行う。印刷注文操作は、例えば、印刷枚数設定操作と、印刷指示操作とを含む。印刷枚数設定操作は、印刷枚数の設定を行うための操作Ｔｕである。印刷枚数とは、印刷用画像Ｐｇａ，Ｐｇｂを印刷するための用紙４の数である。印刷指示操作は、印刷用画像Ｐｇａ，Ｐｇｂを用紙に印刷する処理をプリントシステム１０００に実行させるための操作Ｔｕである。
【００６９】
印刷注文操作が行われた場合、印刷データ生成部２００は、両面印刷データＰｄｗとしての印刷データＰｄａ，Ｐｄｂ、印刷指示および注文情報を、印刷管理部５００へ送信する。印刷指示は、両面印刷部６００が用紙４の面４ａに印刷用画像Ｐｇａを印刷し、両面印刷部６００が面４ｂに印刷用画像Ｐｇｂを印刷する処理を、当該両面印刷部６００に実行させるための指示である。注文情報は、前述の印刷注文操作により設定された各種情報である。注文情報は、例えば、印刷枚数を示す。
【００７０】
印刷管理部５００は、両面印刷データＰｄｗとしての印刷データＰｄａ，Ｐｄｂに基づいて、印刷用画像Ｐｇａ，Ｐｇｂを生成する。そして、印刷管理部５００は、印刷用画像Ｐｇａ，Ｐｇｂ、受信した印刷指示および注文情報を、両面印刷部６００へ送信する。
【００７１】
両面印刷部６００は、印刷指示に従って、用紙４の面４ａに印刷用画像Ｐｇａを印刷し、両面印刷部６００が面４ｂに印刷用画像Ｐｇｂを印刷する処理を行う。
【００７２】
以下においては、面４ａに印刷用画像Ｐｇａが印刷されており、かつ、面４ｂに印刷用画像Ｐｇｂが印刷されている用紙４を、「両面印刷物」ともいう。そして、プリントシステム１０００は、印刷物を外部に排出する。これにより、ユーザーは、両面印刷物を受け取る。
【００７３】
以下においては、印刷用画像Ｐｇａに配置されている構成要素Ｃｐを、「構成要素Ｃｐａ」ともいう。また、以下においては、印刷用画像Ｐｇｂに配置されている構成要素Ｃｐを、「構成要素Ｃｐｂ」ともいう。
【００７４】
また、以下においては、印刷用画像Ｐｇｂが面４ｂに印刷されている状態を、「状態Ｓｔｂ」ともいう。また、以下においては、印刷用画像Ｐｇａが面４ａに印刷されている状態を、「状態Ｓｔａ」ともいう。
【００７５】
また、以下においては、印刷用画像Ｐｇｂが面４ｂに印刷されている状態Ｓｔｂで印刷用画像Ｐｇａを面４ａに印刷するための印刷処理を、「印刷処理ＰｒｃＰ」ともいう。また、以下においては、面４ｂに印刷されている印刷用画像Ｐｇｂを、「印刷済画像Ｐｇｂｐ」ともいう。
【００７６】
また、以下においては、印刷処理ＰｒｃＰが行われると仮定した場合における、印刷済画像Ｐｇｂｐの品質を、「品質Ｑｔｂ」または「Ｑｔｂ」ともいう。品質Ｑｔｂは、例えば、１から１０の範囲の実数で表現される。印刷済画像Ｐｇｂｐの品質が高い程、品質Ｑｔｂに設定される値は大きい。
【００７７】
品質Ｑｔｂの値は、実際に、プリントシステム１０００が印刷処理ＰｒｃＰを行うことにより得られた印刷済画像Ｐｇｂｐを、例えば、人間が目視等で評価することにより、設定される。
【００７８】
以下においては、面４ａに印刷用画像Ｐｇａを印刷せず、面４ｂのみに印刷用画像Ｐｇｂを印刷した状態を、「状態Ｓｔｂｎａ」ともいう。状態Ｓｔｂｎａは、用紙４の一方の面のみに、印刷用画像Ｐｇｂが印刷された状態である。そのため、状態Ｓｔｂｎａにおける印刷済画像Ｐｇｂｐの品質は、最高の品質である。以下においては、状態Ｓｔｂｎａにおける、印刷済画像Ｐｇｂｐの品質を、「品質ＱｔｂＭａｘ」ともいう。
【００７９】
例えば、品質Ｑｔｂの値には、印刷処理ＰｒｃＰが行われた場合における印刷済画像Ｐｇｂｐの品質が、品質ＱｔｂＭａｘに近い程、大きい値が設定される。言い換えれば、品質Ｑｔｂの値には、印刷処理ＰｒｃＰが行われた場合における印刷済画像Ｐｇｂｐの品質が、品質ＱｔｂＭａｘから遠い程、小さい値が設定される。例えば、印刷処理ＰｒｃＰが行われた場合における印刷済画像Ｐｇｂｐの品質が、品質ＱｔｂＭａｘと同等である場合、品質Ｑｔｂの値は１０に設定される。
【００８０】
印刷処理ＰｒｃＰが行われる場合、印刷用画像Ｐｇａに配置されている構成要素Ｃｐａの状態によっては、印刷済画像Ｐｇｂｐの品質Ｑｔｂに影響を与える場合がある。
【００８１】
以下においては、印刷処理ＰｒｃＰが行われると仮定した場合において、印刷済画像Ｐｇｂｐの品質Ｑｔｂに対する、当該印刷処理ＰｒｃＰの影響の大きさを示す指数を、「品質影響度Ｑｅ」または「Ｑｅ」ともいう。すなわち、品質影響度Ｑｅは、印刷処理ＰｒｃＰが行われると仮定した場合において、当該印刷処理ＰｒｃＰが、印刷済画像Ｐｇｂｐの品質Ｑｔｂへ与える影響の大きさを示す。
【００８２】
品質影響度Ｑｅは、例えば、１から１０の範囲の実数で表現される。品質影響度Ｑｅの値が大きい程、印刷済画像Ｐｇｂｐの品質Ｑｔｂの値は小さい。例えば、品質影響度Ｑｅの値が１０である場合、品質Ｑｔｂの値は１である。
【００８３】
次に、実施の形態１のプリントシステム１０００が、品質影響度Ｑｅに基づいて行う処理（以下、「品質対応処理」ともいう）について説明する。品質対応処理は、前述の印刷用画像生成処理（印刷データ生成処理）とは独立して行われる。図３は、本発明の実施の形態１に係る品質対応処理のフローチャートである。品質対応処理は、例えば、記憶部２４０に印刷データＰｄが記憶される毎に実行される。
【００８４】
以下においては、構成要素Ｃｐが示す色の濃度を、「濃度Ｄｓ」または「Ｄｓ」ともいう。また、以下においては、濃度Ｄｓが示す値を、「濃度値」ともいう。本明細書では、構成要素Ｃｐの濃度値を、一例として、１から１０の範囲の整数で表現する。
【００８５】
濃度値“１０”は、濃度Ｄｓに設定可能な複数種類の濃度値のうちの最大の濃度値である。濃度値“１”は、濃度Ｄｓに設定可能な複数種類の濃度値のうちの最小の濃度値である。
【００８６】
また、本明細書では、画像を構成する画素の画素値を、一例として、０から２５５の範囲の整数で表現する。なお、本明細書では、画素値を、濃度値として表現する。
【００８７】
例えば、構成要素Ｃｐ全体の色が黒であり、かつ、構成要素Ｃｐを構成する全ての画素の画素値が、２３１から２５５の範囲に含まれる整数である場合、当該構成要素Ｃｐを構成する全ての画素の濃度値は、１０である。２３１から２５５の範囲に含まれる整数の数は、２５５の約０．１倍の数（例えば、２５）である。
【００８８】
また、例えば、構成要素Ｃｐ全体の色が黒であり、かつ、構成要素Ｃｐを構成する全ての画素の画素値が、１から２５の範囲に含まれる整数である場合、当該構成要素Ｃｐを構成する全ての画素の濃度値は、１である。
【００８９】
ここで、以下の前提Ｐｒ１Ｂを考慮する。前提Ｐｒ１Ｂでは、印刷用画像Ｐｇｂに対応する前述の印刷用画像生成処理が行われることにより、印刷用画像Ｐｇｂの生成は完了している。そのため、記憶部２４０には、印刷用画像Ｐｇｂに対応する印刷データＰｄｂが記憶されている。当該印刷データＰｄｂは、生成が完了した印刷用画像Ｐｇｂに対応するデータである。
【００９０】
また、前提Ｐｒ１Ｂでは、印刷用画像Ｐｇｂが、用紙４の面４ｂに印刷されている。また、前提Ｐｒ１Ｂでは、面４ｂに印刷されている印刷用画像Ｐｇｂは、一例として、図４（ｂ）の印刷用画像Ｐｇ２ｂである。そのため、前提Ｐｒ１Ｂでは、記憶部２４０に記憶されている印刷データＰｄｂは、印刷用画像Ｐｇ２ｂに対応するデータである。印刷用画像Ｐｇ２ｂには、図４（ｂ）のように、構成要素Ｃｐｂ（Ｃｐ）として、構成要素Ｃｐ１ｂが配置されている。
【００９１】
以下においては、構成要素Ｃｐａの濃度Ｄｓを、「濃度Ｄｓａ」または「Ｄｓａ」ともいう。また、以下においては、構成要素Ｃｐｂの濃度Ｄｓを、「濃度Ｄｓｂ」または「Ｄｓｂ」ともいう。
【００９２】
また、前提Ｐｒ１Ｂでは、構成要素Ｃｐ１ｂの色は、黒である。また、前提Ｐｒ１Ｂでは、構成要素Ｃｐ１ｂを構成する全ての画素の濃度値は、３である。この場合、記憶部２４０に記憶されている印刷データＰｄｂは、構成要素Ｃｐ１ｂの色（黒）、濃度Ｄｓｂ（３）、形状、大きさ、位置（座標）等を示す。なお、印刷データＰｄｂは、構成要素Ｃｐ１ｂを構成する全ての画素の濃度値が３であることを示す。
【００９３】
以下においては、未完成の印刷用画像Ｐｇａを、「未完成画像ＰｇａＮ」ともいう。また、前提Ｐｒ１Ｂでは、ユーザーは、印刷用画像Ｐｇａを作成している最中であるとする。すなわち、前提Ｐｒ１Ｂにおける印刷用画像Ｐｇａは、未完成画像ＰｇａＮである。前提Ｐｒ１Ｂにおける印刷用画像Ｐｇａは、ユーザーが作成中のデータである。
【００９４】
また、前提Ｐｒ１Ｂでは、未完成画像ＰｇａＮに対応する前述の印刷用画像生成処理が行われることにより、記憶部２４０には、未完成画像ＰｇａＮに対応する印刷データＰｄａが記憶されている。前提Ｐｒ１Ｂにおける当該印刷データＰｄａは、未完成（作成中）の印刷用画像Ｐｇａに対応するデータである。
【００９５】
また、前提Ｐｒ１Ｂでは、未完成画像ＰｇａＮは、図４（ａ）の印刷用画像Ｐｇ２ａである。そのため、記憶部２４０に記憶されている印刷データＰｄａは、未完成画像ＰｇａＮ（印刷用画像Ｐｇ２ａ）に対応するデータである。印刷用画像Ｐｇ２ａには、構成要素Ｃｐａ（Ｃｐ）として、構成要素Ｃｐ２ａが配置されている。なお、図４（ａ）に示される構成要素Ｃｐ１ｂについては後述する。
【００９６】
以下においては、用紙４の面４ａのうち、印刷用画像Ｐｇａが印刷されるための領域を、「印刷領域Ｒｐａ」ともいう。印刷領域Ｒｐａは、例えば、状態Ｓｔａにおいて、用紙４の面４ａのうち、印刷用画像Ｐｇ２ａ（Ｐｇａ）の輪郭線で囲まれる領域である。
【００９７】
また、以下においては、用紙４の面４ｂのうち、印刷用画像Ｐｇｂが印刷されるための領域を、「印刷領域Ｒｐｂ」ともいう。印刷領域Ｒｐｂは、例えば、状態Ｓｔｂにおいて、用紙４の面４ｂのうち、図４（ｂ）の印刷用画像Ｐｇ２ｂ（Ｐｇｂ）の輪郭線で囲まれる領域である。
【００９８】
以下においては、用紙４の平面視（ＸＹ面）を、「平面視Ｐｖ」ともいう。平面視Ｐｖにおける、印刷領域Ｒｐａの位置は、平面視Ｐｖにおける、印刷領域Ｒｐｂの位置の位置と同じである。
【００９９】
また、以下においては、印刷用画像Ｐｇａが面４ａに印刷されており、かつ、印刷用画像Ｐｇｂが面４ｂに印刷されている状態を、「状態Ｓｔａｂ」ともいう。
【０１００】
なお、用紙４の状態が状態Ｓｔａｂである場合の、平面視Ｐｖにおける構成要素Ｃｐ２ａ，Ｃｐ１ｂの配置関係を分かり易くするために、図４（ａ）には、構成要素Ｃｐ１ｂの輪郭線を点線で示している。なお、実際には、印刷用画像Ｐｇ２ａに構成要素Ｃｐ１ｂは存在しない。
【０１０１】
また、前提Ｐｒ１Ｂでは、構成要素Ｃｐ２ａの色は、黒である。また、前提Ｐｒ１Ｂでは、構成要素Ｃｐ２ａを構成する全ての画素の濃度値は、１０である。この場合、前提Ｐｒ１Ｂにおける印刷データＰｄａは、構成要素Ｃｐ２ａの色（黒）、濃度Ｄｓａ（１０）、形状、大きさ、位置（座標）等を示す。なお、印刷データＰｄａは、構成要素Ｃｐ２ａを構成する全ての画素の濃度値が１０であることを示す。
【０１０２】
以下においては、図２の生成用画像Ｇ１０における印刷用画像Ｐｇ１を印刷用画像Ｐｇ２ａと置き換えた当該生成用画像Ｇ１０を、「生成用画像Ｇ３」ともいう。
【０１０３】
また、前提Ｐｒ１Ｂでは、表示部２１０が、印刷用画像Ｐｇ２ａを示す生成用画像Ｇ３を表示している。また、前提Ｐｒ１Ｂにおける品質対応処理は、一例として、印刷データＰｄａが記憶部２４０に記憶されたタイミングで実行される。
【０１０４】
次に、図３の品質対応処理について説明する。前提Ｐｒ１Ｂにおける品質対応処理では、まず、ステップＳ１１０の処理が行われる。
【０１０５】
ステップＳ１１０では、印刷データＰｄａ取得処理が行われる。印刷データＰｄａ取得処理では、制御部２２０が、印刷用画像Ｐｇａに対応する印刷データＰｄａを、特定部２２３へ送信する。これにより、特定部２２３は印刷データＰｄａを取得する。
【０１０６】
前提Ｐｒ１Ｂにおける印刷データＰｄａ取得処理では、制御部２２０が、未完成（作成中）の印刷用画像Ｐｇ２ａ（Ｐｇａ）に対応する印刷データＰｄａを、特定部２２３へ送信する。これにより、特定部２２３は印刷データＰｄａを取得する。
【０１０７】
ここで、ステップＳ１１０の処理が繰り返し行われたと仮定する。この場合、特定部２２３は、複数の印刷データＰｄａを取得する。以下においては、特定部２２３が複数の印刷データＰｄａを取得した場合において、当該複数の印刷データＰｄａのうち、最新の印刷データＰｄａを、「ｋ番目の印刷データＰｄａ」ともいう。「ｋ」は２以上の整数である。（ｋ−１）番目の印刷データＰｄａは、ｋ番目の印刷データＰｄａの取得のタイミングより前に、特定部２２３が取得したデータである。
【０１０８】
ステップＳ１１１では、特定部２２３が、取得したｋ番目（最新）の印刷データＰｄａが変更されたか否かを判定する。具体的には、特定部２２３は、ｋ番目の印刷データＰｄａが、（ｋ−１）番目の印刷データＰｄａと異なるか否かを判定する。
【０１０９】
ステップＳ１１１においてＹＥＳならば、処理はステップＳ１２０へ移行する。一方、ステップＳ１１１においてＮＯならば、再度、ステップＳ１１０の処理が行われる。
【０１１０】
なお、ステップＳ１１１が初めて行われる場合、特定部２２３は、ｋ番目の印刷データＰｄａが変更されたと判定する。
【０１１１】
前提Ｐｒ１Ｂでは、ステップＳ１１１が初めて行われる。そのため、前提Ｐｒ１ＢにおけるステップＳ１１１では、特定部２２３が、ｋ番目の印刷データＰｄａが変更されたと判定する。これにより、処理はステップＳ１２０へ移行する。
【０１１２】
ステップＳ１２０では、印刷データＰｄｂ取得処理が行われる。前提Ｐｒ１Ｂにおける印刷データＰｄｂ取得処理では、制御部２２０が、印刷用画像Ｐｇｂとしての印刷用画像Ｐｇ２ｂに対応する印刷データＰｄｂを、特定部２２３へ送信する。これにより、特定部２２３は印刷データＰｄｂを取得する。
【０１１３】
ステップＳ１３０では、品質影響度特定処理が行われる。品質影響度特定処理では、特定部２２３が、取得した最新（ｋ番目）の印刷データＰｄａと、印刷データＰｄｂとに基づいて、品質影響度Ｑｅを特定する。
【０１１４】
以下においては、用紙４の状態が前述の状態Ｓｔａｂである場合に、平面視Ｐｖにおいて、構成要素Ｃｐａと構成要素Ｃｐｂとが重なっている領域を、「重なり領域Ｒｘ」または「Ｒｘ」ともいう。
【０１１５】
ここで、印刷用画像Ｐｇａが、図４（ａ）の印刷用画像Ｐｇ２ａであり、印刷用画像Ｐｇｂが、図４（ｂ）の印刷用画像Ｐｇ２ｂであると仮定する。この場合、重なり領域Ｒｘは、図４（ａ）において、構成要素Ｃｐ２ａ（Ｃｐａ）と構成要素Ｃｐ１ｂ（Ｃｐｂ）とが重なっている領域である。
【０１１６】
具体的には、品質影響度特定処理では、まず、特定部２２３が、重なり領域特定処理を行う。重なり領域特定処理では、特定部２２３が、印刷データＰｄａと、印刷データＰｄｂとに基づいて、重なり領域Ｒｘが存在するか否かを判定する。重なり領域Ｒｘが存在する場合、重なり領域Ｒｘの形状、大きさ、位置が特定される。なお、重なり領域Ｒｘが存在しない場合、特定部２２３は、品質影響度Ｑｅを、０と特定する。
【０１１７】
前提Ｐｒ１Ｂにおける重なり領域特定処理では、特定部２２３が、構成要素Ｃｐ２ａの形状、大きさおよび位置と、構成要素Ｃｐ１ｂの形状、大きさおよび位置に基づいて、重なり領域Ｒｘが存在すると判定する。なお、構成要素Ｃｐ２ａの形状、大きさおよび位置は、印刷データＰｄａにより示される。構成要素Ｃｐ１ｂの形状、大きさおよび位置は、印刷データＰｄｂにより示される。前提Ｐｒ１Ｂにおける重なり領域Ｒｘは、図４（ａ）において、構成要素Ｃｐ２ａと構成要素Ｃｐ１ｂとが重なっている領域である。
【０１１８】
また、前提Ｐｒ１Ｂにおける重なり領域特定処理では、特定部２２３は、構成要素Ｃｐ２ａの形状、大きさおよび位置と、構成要素Ｃｐ１ｂの形状、大きさおよび位置とに基づいて、重なり領域Ｒｘの形状、大きさ、位置を特定する。
【０１１９】
以下においては、構成要素Ｃｐａに含まれる重なり領域Ｒｘ全体の濃度Ｄｓａの平均値を、「濃度値Ｄｓａｖ」または「Ｄｓａｖ」ともいう。また、以下においては、構成要素Ｃｐｂに含まれる重なり領域Ｒｘ全体の濃度Ｄｓｂの平均値を、「濃度値Ｄｓｂｖ」または「Ｄｓｂｖ」ともいう。
【０１２０】
次に、品質影響度特定処理では、特定部２２３が、品質影響度算出処理を行う。品質影響度算出処理では、以下の式１により品質影響度Ｑｅを算出することにより、当該品質影響度Ｑｅを特定する。
【０１２１】
【数１】
0006719257.tif 000002
【０１２２】
式１の「α」は、正の実数である。「α」は、例えば、０．１から１の範囲に含まれる実数である。「α」は、予め行われた実験等により設定される。当該実験は、例えば、様々な態様の印刷用画像Ｐｇａ，Ｐｇｂを使用して、実際に、プリントシステム１０００が前述の印刷処理ＰｒｃＰを行う実験である。
【０１２３】
当該実験により得られた、複数種類の印刷済画像Ｐｇｂｐの各々の品質Ｑｔｂを参考にして、印刷済画像Ｐｇｂｐの品質Ｑｔｂの値が小さい程、品質影響度Ｑｅの値が大きくなるように、式１の「α」は設定される。
【０１２４】
なお、「α」は、用紙４の厚さ、用紙４における光の透過率等の要素等も考慮して設定されてもよい。
【０１２５】
そして、特定部２２３は、特定した品質影響度Ｑｅを、通知部２２４へ送信する。
【０１２６】
なお、前提Ｐｒ１Ｂでは、前述したように、印刷データＰｄａは、構成要素Ｃｐ２ａを構成する全ての画素の濃度値が１０であることを示す。また、前提Ｐｒ１Ｂでは、印刷データＰｄｂは、構成要素Ｃｐ１ｂを構成する全ての画素の濃度値が３であることを示す。
【０１２７】
ここで、式１の「α」は、０．９であると仮定する。また、前提Ｐｒ１ＢにおけるＤｓａｖ，Ｄｓｂｖは、それぞれ、１０，３である。この場合、前提Ｐｒ１Ｂにおける品質影響度算出処理では、特定部２２３は、式１を利用して、０．９×（１０−３）より、品質影響度Ｑｅとして、６．３を算出する。すなわち、特定部２２３は、品質影響度Ｑｅを特定する。そして、特定部２２３は、特定した品質影響度Ｑｅ（６．３）を、通知部２２４へ送信する。
【０１２８】
ステップＳ１４０では、通知部２２４が、品質影響度Ｑｅが、閾値Ｔｈ１以上であるか否かを判定する。閾値Ｔｈ１は、印刷処理ＰｒｃＰが行われると仮定した場合において、当該印刷処理ＰｒｃＰが品質Ｑｔｂへ与える影響が大きい状態に対応する閾値である。閾値Ｔｈ１は、品質影響度Ｑｅを表現するための複数の実数のいずれかの実数である。閾値Ｔｈ１は、例えば、５である。
【０１２９】
ステップＳ１４０においてＹＥＳならば処理はステップＳ１５０へ移行する。一方、ステップＳ１４０においてＮＯならば、再度、ステップＳ１１０の処理が行われる。
【０１３０】
前提Ｐｒ１Ｂでは、品質影響度Ｑｅが閾値Ｔｈ１以上であるとして、処理は、ステップＳ１５０へ移行する。
【０１３１】
ステップＳ１５０では、通知処理が行われる。なお、通知処理は、品質影響度Ｑｅが閾値Ｔｈ１以上である場合に行われる。そのため、通知処理は、品質影響度Ｑｅに基づいた処理である。
【０１３２】
通知処理では、通知部２２４が、品質影響度Ｑｅを、ユーザーに通知するための処理を行う。具体的には、通知部２２４が、品質影響度Ｑｅおよび通知指示を制御部２２０へ送信する。通知指示は、品質影響度Ｑｅと、メッセージＭＱとを表示部２１０に表示させるための指示である。通知指示は、メッセージＭＱを含む。
【０１３３】
制御部２２０は、通知指示に従って、受信した品質影響度Ｑｅと、メッセージＭＱとを、表示部２１０に表示させる。当該メッセージＭＱは、例えば、「品質影響度は６．３です。作成中の印刷用画像に配置されている構成要素は、用紙の他方の面の画像に影響を与えます」というメッセージである。なお、ユーザーは、品質影響度を表現するための実数の範囲（例えば、１から１０）を予め知っている。
【０１３４】
品質影響度Ｑｅは、前述したように、印刷処理ＰｒｃＰが行われると仮定した場合において、印刷済画像Ｐｇｂｐの品質Ｑｔｂに対する、当該印刷処理ＰｒｃＰの影響の大きさを示す指数である。
【０１３５】
そのため、上記のメッセージＭＱの品質影響度を確認したユーザーは、品質影響度が大きい場合、品質影響度が小さくなるように、印刷用画像Ｐｇａを加工するための操作Ｔｕを行う。なお、仮に、品質影響度Ｑに対応する、印刷済画像Ｐｇｂｐの品質Ｑｔｂをユーザーが容認する場合、当該ユーザーは、印刷用画像Ｐｇａを加工するための操作Ｔｕを行う必要はない。
【０１３６】
一例として、前提Ｐｒ１Ｂおける通知処理では、通知部２２４が、品質影響度Ｑｅおよび通知指示を制御部２２０へ送信する。通知指示は、以下のメッセージＭＱａを含む。
【０１３７】
制御部２２０は、通知指示に従って、受信した品質影響度Ｑｅと、メッセージＭＱａとを、表示部２１０に表示させる。
【０１３８】
なお、前提Ｐｒ１Ｂでは、表示部２１０が、図４（ａ）の印刷用画像Ｐｇ２ａを示す前述の生成用画像Ｇ３を表示している。そのため、表示部２１０は、生成用画像Ｇ３上に、品質影響度Ｑｅと、以下のメッセージＭＱａとを表示する。
【０１３９】
なお、前提Ｐｒ１Ｂおける通知処理では、表示部２１０が、生成用画像Ｇ３が示す印刷用画像Ｐｇ２ａ内に、構成要素Ｃｐ１ｂの輪郭線を点線でしめす。また、前提Ｐｒ１ＢおけるメッセージＭＱａは、例えば、「品質影響度は６．３です。作成中の印刷用画像に配置されている構成要素は、用紙の他方の面の画像に影響を与えます。構成要素を、点線の枠の外に配置してください」というメッセージである。
【０１４０】
前提Ｐｒ１Ｂおける、品質影響度Ｑｅに基づいた通知処理により、ユーザーは、構成要素Ｃｐ２ａを配置するための最適な位置を知ることができる。そのため、ユーザーは、例えば、以下の加工操作Ｍｕ５を行う。当該加工操作Ｍｕ５は、印刷用画像Ｐｇａを加工するための操作Ｔｕ（ユーザー操作）である。具体的には、当該加工操作Ｍｕ５は、構成要素Ｃｐ２ａの位置を、構成要素Ｃｐ１ｂの輪郭線（点線）の外側の位置に変更するための操作Ｔｕである。これにより、入力部２３０は、加工操作Ｍｕ５を受付ける。
【０１４１】
画像処理部２２２は、入力部２３０が、印刷用画像Ｐｇａを加工するためのユーザー操作を受付けた場合、印刷用画像Ｐｇａを加工するための加工処理を行う。具体的には、当該加工操作Ｍｕ５が行われた場合、前提Ｐｒ１Ｂおける前述の印刷用画像生成処理の画像構成処理では、画像処理部２２２が、当該加工操作Ｍｕ５に従って、印刷用画像Ｐｇ２ａ（Ｐｇａ）を加工するための加工処理を行う。
【０１４２】
当該加工処理は、品質影響度Ｑｅに基づいた通知処理に応じて、ユーザーが行った加工操作Ｍｕ５に従った処理である。すなわち、当該加工処理は、品質影響度Ｑｅに基づいた処理である。
【０１４３】
画像処理部２２２が行う当該加工処理により、構成要素Ｃｐ２ａの位置が、構成要素Ｃｐ１ｂの輪郭線（点線）の外側の位置となるように加工された印刷用画像Ｐｇ２ａ（Ｐｇａ）が生成される。
【０１４４】
また、当該加工操作Ｍｕ５が行われた場合、印刷データ生成処理では、制御部２２０が、生成された印刷用画像Ｐｇ２ａ（Ｐｇａ）に基づいて、印刷データＰｄａを生成する。そして、制御部２２０は、両面印刷データＰｄｗとして、印刷データＰｄａを記憶部２４０に記憶させる。これにより、印刷データＰｄａが変更される。
【０１４５】
以上説明したように、本実施の形態によれば、両面印刷部６００は、用紙４の面４ａに印刷用画像Ｐｇａを印刷する機能と、用紙４の面４ｂに印刷用画像Ｐｇｂを印刷する機能とを有する。画像処理部２２２は、品質影響度Ｑｅに基づいた、印刷用画像Ｐｇａを加工するための加工処理を行う。
【０１４６】
これにより、用紙４の両面に印刷する機能を有し、当該用紙４に印刷するための印刷用画像Ｐｇａを加工可能なプリントシステムを提供することができる。
【０１４７】
また、本実施の形態では、ユーザーが、印刷用画像Ｐｇａを作成している際に、通知部２２４が、品質影響度Ｑｅを、ユーザーに通知するための処理を行う。品質影響度Ｑｅが大きい場合、ユーザーは、品質影響度Ｑｅが小さくなるように、印刷用画像Ｐｇａを加工するための操作Ｔｕを行う。
【０１４８】
これにより、前述の印刷処理ＰｒｃＰが行われると仮定した場合における、印刷済画像Ｐｇｂｐの品質Ｑｔｂへの影響を小さくした印刷用画像Ｐｇａ（印刷データＰｄａ）を生成することができる。すなわち、印刷処理ＰｒｃＰが行われると仮定した場合における、印刷済画像Ｐｇｂｐの品質Ｑｔｂの低下を抑制した印刷用画像Ｐｇａ（印刷データＰｄａ）を生成することができる。
【０１４９】
そのため、印刷品質が高く、かつ、良質な両面印刷物を排出可能なプリントシステム１０００を実現することができる。したがって、良質な両面印刷物を提供するためのプリントサービスを、容易に提供することが可能となる。そのため、用紙４の両面に印刷を行う際における印刷品質の低下（失敗プリント）を抑制することができる。
【０１５０】
なお、本実施の形態では、品質影響度の通知は、表示部２１０を使用して行ったがこれに限定されない。例えば、プリントシステム１０００が備えるスピーカーから、品質影響度を通知するための音声を出力することにより、品質影響度Ｑｅの通知を行ってもよい。
【０１５１】
また、品質影響度Ｑｅの大きさに応じて、品質影響度Ｑｅを通知するためのメッセージを変化させてもよい。
【０１５２】
また、前述の通知処理が行われて、ユーザーが構成要素Ｃｐａの位置を変更するための加工操作を行った直後に、当該加工操作に対応した最新の品質影響度Ｑｅを算出してもよい。そして、表示部２１０は、当該最新の品質影響度Ｑｅを表示（更新）してもよい。これにより、ユーザーにとって有用な情報を提供することができる。
【０１５３】
また、前述の通知処理が行われる際に、作成中の印刷用画像Ｐｇａに対し、例えば、半透明の印刷用画像Ｐｇｂを重ねて表示してもよい。これにより、ユーザーに、構成要素Ｃｐａを配置するための最適な位置を提示することができる。また、印刷用画像Ｐｇｂの表示は、常時、または、一時的に行ってもよい。
【０１５４】
なお、本実施の形態では、品質影響度Ｑｅを算出するための要素（以下、「Ｑｅ算出要素」ともいう）として、濃度を使用したがこれに限定されない。Ｑｅ算出要素は、例えば、構成要素Ｃｐの濃度変化率であってもよい。また、Ｑｅ算出要素は、例えば、構成要素Ｃｐの輪郭の直進性、当該輪郭線の連続性等であってもよい。また、Ｑｅ算出要素は、例えば、構成要素Ｃｐの均質性であってもよい。Ｑｅ算出要素は、例えば、用紙４の光沢度合いであってもよい。
【０１５５】
また、Ｑｅ算出要素は、上記で例示した複数の要素の一部または全てであってもよい。また、Ｑｅ算出要素は、上記で例示した各要素に適した係数が乗算された当該要素であってもよい。
【０１５６】
また、図３の品質影響度特定処理が行われるタイミングは、前述したタイミングと異なるタイミングで行われてもよい。品質影響度特定処理が行われるタイミングは、例えば、印刷用画像Ｐｇａに、構成要素Ｃｐａが追加されたタイミングであってもよい。
【０１５７】
また、品質影響度特定処理は、例えば、ユーザーが、印刷用画像Ｐｇａ（印刷データＰｄａ）を変更するための操作を行う毎に、行われてもよい。また、品質影響度特定処理は、例えば、定期的に実施されてもよい。また、品質影響度特定処理は、例えば、ユーザーの要求によって、実施されてもよい。
【０１５８】
また、品質影響度Ｑｅの算出対象となる領域は、前述の重なり領域Ｒｘに限定されない。品質影響度Ｑｅの算出対象となる領域は、例えば、１．１倍に拡大された重なり領域Ｒｘであってもよい。
【０１５９】
また、Ｑｅ算出要素は、画像認識処理により得られた要素であってもよい。例えば、ここで、ユーザーは、印刷用画像Ｐｇａを作成していると仮定する。この場合、印刷用画像Ｐｇｂに対し画像認識処理を行うことにより、人物の顔などの重要な構成要素を検出し、当該構成要素の状態を、品質影響度Ｑｅに反映してもよい。また、印刷用画像Ｐｇｂに対し画像認識処理を行うことにより、海、空等の画像を特徴的な構成要素として検出し、当該構成要素の状態を、品質影響度Ｑｅに反映してもよい。
【０１６０】
また、本実施の形態では、印刷データ生成部２００は、特定部２２３および通知部２２４を含まないとしたがこれに限定されない。印刷データ生成部２００は、特定部２２３および通知部２２４の両方または一方を含む構成としてもよい。当該構成では、例えば、印刷データ生成部２００の制御部２２０が、特定部２２３および通知部２２４の両方または一方を含む。
【０１６１】
なお、前述の関連技術Ａでは、印刷を行う際に、確定しているプリントデータに対し、印刷濃度の補正を行う。そのため、関連技術Ａでは、画像を用紙の両面に印刷する際に、確定しているプリントデータが示す印刷用画像において、反対面に大きな影響を持つ構成要素が存在する場合、印刷時の補正のみでは、良質な両面印刷物を得ることはできないという問題がある。
【０１６２】
そこで、本実施の形態のプリントシステム１０００は上記のように構成されるため、上記の問題を解決することができる。そのため、良質な両面印刷物を得ることができる。
【０１６３】
＜実施の形態２＞
実施の形態１では、構成要素Ｃｐの位置の変更するため操作を、ユーザーが行う必要があった。本実施の形態の構成は、構成要素Ｃｐの位置の変更を、プリントシステムが行う構成（以下、「構成ＣｔＡ」ともいう）である。すなわち、構成ＣｔＡでは、構成要素Ｃｐの位置が、自動的に変更される。以下においては、構成ＣｔＡが適用されたプリントシステムを、「プリントシステム１０００Ａ」ともいう。
【０１６４】
図５は、本発明の実施の形態２に係るプリントシステム１０００Ａの構成を示すブロック図である。図５を参照して、プリントシステム１０００Ａは、図１のプリントシステム１０００と比較して、通知部２２４の代わりに位置変更部２２５を含む点が異なる。プリントシステム１０００Ａのそれ以外の構成は、プリントシステム１０００と同様なので詳細な説明は繰り返さない。
【０１６５】
位置変更部２２５は、専用のハードウエアで構成される。なお、位置変更部２２５は、プロセッサにより実行されるプログラムのモジュールであってもよい。
【０１６６】
次に、プリントシステム１０００Ａが行う処理について説明する。プリントシステム１０００Ａは、実施の形態１で説明した前述の印刷データ生成処理と、品質対応処理Ａとを行う。
【０１６７】
図６は、本発明の実施の形態２に係る品質対応処理Ａのフローチャートである。図６において、図３のステップ番号と同じステップ番号の処理は、実施の形態１で説明した処理と同様な処理が行われるので詳細な説明は繰り返さない。品質対応処理Ａは、図３の品質対応処理と比較して、ステップＳ１３０，Ｓ１４０，Ｓ１５０の代わりにステップＳ１３０Ａ，Ｓ１４０Ａ，Ｓ１５０Ａが行われる点が異なる。
【０１６８】
以下、実施の形態１と異なる点を中心に説明する。本実施の形態では、実施の形態１と同様、一例として、前述の前提Ｐｒ１Ｂにおける処理について説明する。
【０１６９】
前提Ｐｒ１Ｂにおける品質対応処理Ａでは、実施の形態１と同様、ステップＳ１１０からステップＳ１２０の処理が行われる。前提Ｐｒ１ＢにおけるステップＳ１１０からステップＳ１２０の処理は、実施の形態１と同様なので詳細な説明は繰り返さない。
【０１７０】
ステップＳ１３０Ａでは、品質影響度特定処理Ａが行われる。品質影響度特定処理Ａは、図３の品質影響度特定処理と比較して、特定部２２３が、特定した品質影響度Ｑｅを位置変更部２２５へ送信する点のみが異なる。品質影響度特定処理Ａのそれ以外の処理は、品質影響度特定処理と同様なので詳細な説明は繰り返さない。
【０１７１】
前提Ｐｒ１Ｂにおける品質影響度特定処理Ａでは、特定部２２３が、前提Ｐｒ１Ｂにおける前述の品質影響度特定処理と同様に、品質影響度Ｑｅを特定する。そして、特定部２２３は、特定した品質影響度Ｑｅを、位置変更部２２５へ送信する。
【０１７２】
ステップＳ１４０Ａでは、位置変更部２２５が、品質影響度Ｑｅが、閾値Ｔｈ１以上であるか否かを判定する。ステップＳ１４０ＡにおいてＹＥＳならば処理はステップＳ１５０Ａへ移行する。一方、ステップＳ１４０ＡにおいてＮＯならば、再度、ステップＳ１１０の処理が行われる。
【０１７３】
ステップＳ１５０Ａでは、位置変更処理が行われる。位置変更処理では、位置変更部２２５が、品質影響度Ｑｅに基づいて、当該品質影響度Ｑｅの値が最小になるように、構成要素Ｃｐａの位置を変更するための処理を行う。
【０１７４】
前提Ｐｒ１Ｂにおける位置変更処理では、位置変更部２２５が、特定部２２３が受信している印刷データＰｄａ，ｐｄｂを参照する。これにより、位置変更部２２５は、図４（ａ）の印刷用画像Ｐｇ２ａの構成要素Ｃｐ２ａの位置と、印刷用画像Ｐｇ２ｂの構成要素Ｃｐ１ｂの位置とを把握する。
【０１７５】
そして、位置変更部２２５は、品質影響度Ｑｅの値が最小になるように、構成要素Ｃｐ２ａの位置を、構成要素Ｃｐ１ｂの輪郭線（点線）の外側の位置（以下、「位置Ｐｓ１」ともいう）に変更するための処理を行う。
【０１７６】
具体的には、位置変更部２２５は、位置変更指示を、制御部２２０へ送信する。当該位置変更指示は、構成要素Ｃｐ２ａの位置を、位置Ｐｓ１に変更するための指示である。また、位置変更指示は、位置情報を含む。当該位置情報は、位置Ｐｓ１を示す。位置Ｐｓ１は、例えば、座標で表現される。
【０１７７】
位置変更指示を受信した制御部２２０の画像処理部２２２は、当該位置変更指示に従って、印刷用画像Ｐｇ２ａ（Ｐｇａ）を加工するための加工処理Ａを行う。当該加工処理Ａは、品質影響度Ｑｅに基づいて位置変更部２２５が送信した位置変更指示に従った処理である。すなわち、当該加工処理Ａは、品質影響度Ｑｅに基づいた処理である。また、位置変更指示は、品質影響度Ｑｅに基づいた指示である。
【０１７８】
加工処理Ａでは、画像処理部２２２が、品質影響度Ｑｅに基づいた位置変更指示に従って、印刷用画像Ｐｇ２ａ（Ｐｇａ）における構成要素Ｃｐ２ａ（Ｃｐａ）の位置を変更する。
【０１７９】
前提Ｐｒ１Ｂにおける加工処理Ａでは、画像処理部２２２が、構成要素Ｃｐ２ａの位置を、位置Ｐｓ１に変更（加工）した印刷用画像Ｐｇ２ａ（Ｐｇａ）を生成する。すなわち、加工処理Ａにより、印刷用画像Ｐｇ２ａ（Ｐｇａ）が加工される。
【０１８０】
そして、制御部２２２は、印刷指示を、印刷管理部５００を介して、両面印刷部６００へ送信する。当該印刷指示を受信した両面印刷部６００は、構成要素Ｃｐ２ａ（Ｃｐａ）の位置が変更された印刷用画像Ｐｇ２ａを、面４ａに印刷する。
【０１８１】
以上説明したように、本実施の形態によれば、品質影響度Ｑｅの値が最小になるように、構成要素Ｃｐ２ａ（Ｃｐａ）の位置が変更される。そのため、品質影響度Ｑｅの値が最小になるようにした両面印刷を行うことができる。したがって、高品質な両面印刷物を提供することができる。その結果、高い付加価値を有する印刷サービスを提供することができる。
【０１８２】
なお、本実施の形態では、印刷データ生成部２００は、特定部２２３および位置変更部２２５を含まないとしたがこれに限定されない。印刷データ生成部２００は、特定部２２３および位置変更部２２５の両方または一方を含む構成としてもよい。例えば、印刷データ生成部２００が、特定部２２３および位置変更部２２５を含む構成（以下、「構成ＣｔＡａ」ともいう）としてもよい。
【０１８３】
構成ＣｔＡａでは、画像処理部２２２は、さらに、位置変更部２２５が行う処理を行う。すなわち、構成ＣｔＡａでは、画像処理部２２２は、印刷データ生成部２００の制御部２２０が、特定部２２３と、位置変更部２２５が行う処理をさらに行う画像処理部２２２とを含む。
【０１８４】
次に、構成ＣｔＡａにおける、図６のステップＳ１３０ＡからＳ１５０Ａの処理について簡単に説明する。構成ＣｔＡａにおけるステップＳ１３０Ａでは、特定部２２３は品質影響度Ｑｅを特定し、特定した品質影響度Ｑｅを画像処理部２２２へ送信する。そして、構成ＣｔＡａにおけるステップＳ１４０Ａでは、画像処理部２２２が、品質影響度Ｑｅが、閾値Ｔｈ１以上であるか否かを判定する。
【０１８５】
構成ＣｔＡａに対応する、前提Ｐｒ１ＢにおけるステップＳ１５０Ａでは、画像処理部２２２が、品質影響度Ｑｅに基づいた、印刷用画像Ｐｇ２ａ（Ｐｇａ）を加工するための加工処理Ａを行う。構成ＣｔＡａに対応する、前提Ｐｒ１Ｂにおける加工処理Ａでは、画像処理部２２２が、品質影響度Ｑｅに基づいて、印刷用画像Ｐｇ２ａ（Ｐｇａ）における構成要素Ｃｐ２ａ（Ｃｐａ）の位置を変更する。
【０１８６】
具体的には、画像処理部２２２が、品質影響度Ｑｅの値を最小にするための印刷用画像Ｐｇ２ａ（Ｐｇａ）を生成する。当該印刷用画像Ｐｇ２ａ（Ｐｇａ）は、構成要素Ｃｐ２ａ（Ｃｐａ）の位置を、前述の位置Ｐｓ１に変更（加工）した印刷用画像Ｐｇ２ａ（Ｐｇａ）である。
【０１８７】
そして、前述の処理と同様に、両面印刷部６００は、構成要素Ｃｐ２ａ（Ｃｐａ）の位置が変更された印刷用画像Ｐｇ２ａを、面４ａに印刷する。
【０１８８】
なお、位置変更指示に含まれる位置情報を、おすすめ情報として、ユーザーに通知する処理が行われてもよい。当該通知は、例えば、表示部２１０が当該位置情報を表示することにより、行われる。この場合、位置情報を参照したユーザーが、構成要素Ｃｐａの位置の変更を行うか否かを判断してもよい。
【０１８９】
また、ユーザーが印刷用画像Ｐｇａの作成を開始する前に、印刷用画像Ｐｇｂに対応する印刷データＰｄｂに基づいて、予めおすすめの位置情報を、ユーザーに通知する処理（以下、「事前通知処理」ともいう）を行ってもよい。これにより、ユーザーは、構成要素Ｃｐａの位置の変更を行うための操作を容易に行うことができる。
【０１９０】
また、予め決められたテンプレートに、構成要素Ｃｐａを配置する構成としてもよい。当該構成では、品質影響度Ｑｅの低いテンプレートが通知される。また、自動的に、テンプレートの変更が行われもよい。
【０１９１】
また、テンプレートが使用される場合、品質影響度Ｑｅが最小になるように、当該テンプレートにおいて、構成要素Ｃｐが配置される枠の位置が変更されてもよい。以下においては、テンプレートにおいて、構成要素Ｃｐが配置される枠を、「配置枠」ともいう。
【０１９２】
また、テンプレートによる構成要素の配置を行う場合、面４ａに対応する配置枠の位置と、面４ｂに対応する配置枠の位置とを、同じ位置としてもよい。これにより、品質影響度Ｑｅを最小にすることができる。
【０１９３】
また、選択可能な２つのテンプレートの組合せにおける品質影響度Ｑｅを予め判定しておいてもよい。この場合、ユーザーが印刷用画像Ｐｇａの作成を開始する前に、品質影響度Ｑｅの低いテンプレートの組合せを、ユーザーに通知する処理が行われてもよい。
【０１９４】
また、ユーザーが、印刷用画像Ｐｇａ，Ｐｇｂの作成を完了した時点で、特定部２２３が、品質影響度Ｑｅを特定する構成としてもよい。当該構成では、品質影響度Ｑｅが小さくなるように、自動的に、構成要素Ｃｐの位置が最適な位置に変更される。
【０１９５】
＜実施の形態３＞
実施の形態２では、構成要素Ｃｐの位置の変更を行っていた。本実施の形態の構成は、構成要素Ｃｐの状態を変更する構成（以下、「構成ＣｔＢ」ともいう）である。すなわち、構成ＣｔＢでは、構成要素Ｃｐの状態が、自動的に変更される。以下においては、構成ＣｔＢが適用されたプリントシステムを、「プリントシステム１０００Ｂ」ともいう。
【０１９６】
図７は、本発明の実施の形態３に係るプリントシステム１０００Ｂの構成を示すブロック図である。図７を参照して、プリントシステム１０００Ｂは、図１のプリントシステム１０００と比較して、通知部２２４の代わりに状態変更部２２６を含む点が異なる。プリントシステム１０００Ｂのそれ以外の構成は、プリントシステム１０００と同様なので詳細な説明は繰り返さない。
【０１９７】
状態変更部２２６は、専用のハードウエアで構成される。なお、状態変更部２２６は、プロセッサにより実行されるプログラムのモジュールであってもよい。
【０１９８】
次に、プリントシステム１０００Ｂが行う処理について説明する。プリントシステム１０００Ｂは、実施の形態１で説明した前述の印刷データ生成処理と、品質対応処理Ｂとを行う。
【０１９９】
図８は、本発明の実施の形態３に係る品質対応処理Ｂのフローチャートである。図８において、図３のステップ番号と同じステップ番号の処理は、実施の形態１で説明した処理と同様な処理が行われるので詳細な説明は繰り返さない。品質対応処理Ｂは、図３の品質対応処理と比較して、ステップＳ１３０，Ｓ１４０，Ｓ１５０の代わりにステップＳ１３０Ｂ，Ｓ１４０Ｂ，Ｓ１５０Ｂが行われる点が異なる。
【０２００】
以下、実施の形態１と異なる点を中心に説明する。本実施の形態では、実施の形態１と同様、一例として、前述の前提Ｐｒ１Ｂにおける処理について説明する。
【０２０１】
前提Ｐｒ１Ｂにおける品質対応処理Ｂでは、実施の形態１と同様、ステップＳ１１０からステップＳ１２０の処理が行われる。前提Ｐｒ１ＢにおけるステップＳ１１０からステップＳ１２０の処理は、実施の形態１と同様なので詳細な説明は繰り返さない。
【０２０２】
ステップＳ１３０Ｂでは、品質影響度特定処理Ｂが行われる。品質影響度特定処理Ｂは、図３の品質影響度特定処理と比較して、特定部２２３が、特定した品質影響度Ｑｅを状態変更部２２６へ送信する点のみが異なる。品質影響度特定処理Ｂのそれ以外の処理は、品質影響度特定処理と同様なので詳細な説明は繰り返さない。
【０２０３】
前提Ｐｒ１Ｂにおける品質影響度特定処理Ｂでは、特定部２２３が、前提Ｐｒ１Ｂにおける前述の品質影響度特定処理と同様に、品質影響度Ｑｅを特定する。そして、特定部２２３は、特定した品質影響度Ｑｅを、状態変更部２２６へ送信する。
【０２０４】
ステップＳ１４０Ｂでは、状態変更部２２６が、品質影響度Ｑｅが、閾値Ｔｈ１以上であるか否かを判定する。ステップＳ１４０ＢにおいてＹＥＳならば処理はステップＳ１５０Ｂへ移行する。一方、ステップＳ１４０ＢにおいてＮＯならば、再度、ステップＳ１１０の処理が行われる。
【０２０５】
ステップＳ１５０Ｂでは、状態変更処理が行われる。状態変更処理では、状態変更部２２６が、品質影響度Ｑｅに基づいて、当該品質影響度Ｑｅの値が最小になるように、構成要素Ｃｐａの状態を変更するための処理を行う。以下においては、変更対象となる、構成要素Ｃｐａの状態を、「要素状態」ともいう。前提Ｐｒ１Ｂでは、要素状態は、例えば、構成要素Ｃｐａの濃度Ｄｓａである。
【０２０６】
なお、要素状態は、濃度に限定されない。要素状態は、例えば、構成要素Ｃｐａのコントラストであってもよい。また、要素状態は、例えば、構成要素Ｃｐａの色であってもよい。また、要素状態は、例えば、構成要素Ｃｐａの輪郭線であってもよい。
【０２０７】
前提Ｐｒ１Ｂにおける状態変更処理では、状態変更部２２６が、特定部２２３が受信している印刷データＰｄａ，ｐｄｂを参照する。これにより、状態変更部２２６は、図４（ａ）の印刷用画像Ｐｇ２ａの構成要素Ｃｐ２ａの位置と、印刷用画像Ｐｇ２ｂの構成要素Ｃｐ１ｂの位置とを把握する。
【０２０８】
そして、状態変更部２２６は、品質影響度Ｑｅの値が最小になるように、構成要素Ｃｐ２ａの状態（要素状態）を変更する。要素状態が濃度Ｄｓａである場合、状態変更部２２６は、品質影響度Ｑｅの値が最小になるように、構成要素Ｃｐ２ａ（Ｃｐａ）の濃度Ｄｓａを小さくするための処理を行う。
【０２０９】
具体的には、状態変更部２２６は、状態変更指示を、制御部２２０へ送信する。状態変更指示は、品質影響度Ｑｅの値が最小になるように、構成要素Ｃｐ２ａ（Ｃｐａ）の濃度Ｄｓａを小さくするための指示である。状態変更指示には、変更後の濃度Ｄｓａの濃度値（以下、「変更濃度値」ともいう）が示される。なお、前提Ｐｒ１Ｂでは、構成要素Ｃｐ２ａを構成する全ての画素の濃度値は、１０である。そのため、変更濃度値は、例えば、３である。
【０２１０】
なお、状態変更指示は、上記に限定されない。状態変更指示は、品質影響度Ｑｅの値が低下するように、構成要素Ｃｐ２ａ（Ｃｐａ）の濃度Ｄｓａを小さくするための指示であってもよい。
【０２１１】
なお、要素状態の内容により、要素状態の変更の処理は異なる。要素状態の変更の処理は、例えば、構成要素Ｃｐａのコントラストを低減する処理である。また、要素状態の変更の処理は、構成要素Ｃｐａの色を、構成要素Ｃｐｂの色と類似する色に変更する処理である。また、要素状態の変更の処理は、例えば、構成要素Ｃｐａの輪郭線をぼかす処理である。
【０２１２】
状態変更指示を受信した制御部２２０の画像処理部２２２は、当該状態変更指示に従って、印刷用画像Ｐｇ２ａ（Ｐｇａ）を加工するための加工処理Ｂを行う。当該加工処理Ｂは、品質影響度Ｑｅに基づいて状態変更部２２６が送信した状態変更指示に従った処理である。すなわち、当該加工処理Ｂは、品質影響度Ｑｅに基づいた処理である。また、状態変更指示は、品質影響度Ｑｅに基づいた指示である。
【０２１３】
加工処理Ｂでは、画像処理部２２２が、品質影響度Ｑｅに基づいた状態変更指示に従って、印刷用画像Ｐｇ２ａ（Ｐｇａ）における構成要素Ｃｐ２ａ（Ｃｐａ）の状態（濃度Ｄｓａ）を変更する。
【０２１４】
前提Ｐｒ１Ｂにおける加工処理Ｂでは、画像処理部２２２が、構成要素Ｃｐ２ａ（Ｃｐａ）の濃度Ｄｓａの濃度値を、変更濃度値に変更する。すなわち、画像処理部２２２が、構成要素Ｃｐ２ａ（Ｃｐａ）の濃度Ｄｓａの濃度値が、変更濃度値に変更された印刷用画像Ｐｇ２ａ（Ｐｇａ）を生成する。すなわち、加工処理Ｂにより、印刷用画像Ｐｇ２ａ（Ｐｇａ）が加工される。
【０２１５】
そして、制御部２２２は、印刷指示を、印刷管理部５００を介して、両面印刷部６００へ送信する。当該印刷指示を受信した両面印刷部６００は、構成要素Ｃｐ２ａ（Ｃｐａ）の状態が変更された印刷用画像Ｐｇ２ａを、面４ａに印刷する。
【０２１６】
以上説明したように、本実施の形態によれば、品質影響度Ｑｅの値が最小になるように、構成要素Ｃｐ２ａ（Ｃｐａ）の状態が変更される。そのため、品質影響度Ｑｅの値が最小になるようにした両面印刷を行うことができる。したがって、高品質な両面印刷物を提供することができる。その結果、高い付加価値を有する印刷サービスを提供することができる。
【０２１７】
なお、本実施の形態では、印刷データ生成部２００は、特定部２２３および状態変更部２２６を含まないとしたがこれに限定されない。印刷データ生成部２００は、特定部２２３および状態変更部２２６の両方または一方を含む構成としてもよい。例えば、印刷データ生成部２００が、特定部２２３および状態変更部２２６を含む構成（以下、「構成ＣｔＢａ」ともいう）としてもよい。
【０２１８】
構成ＣｔＢａでは、画像処理部２２２は、さらに、状態変更部２２６が行う処理を行う。すなわち、構成ＣｔＢａでは、画像処理部２２２は、印刷データ生成部２００の制御部２２０が、特定部２２３と、状態変更部２２６が行う処理をさらに行う画像処理部２２２とを含む。
【０２１９】
次に、構成ＣｔＢａにおける、図８のステップＳ１３０ＢからＳ１５０Ｂの処理について簡単に説明する。構成ＣｔＢａにおけるステップＳ１３０Ｂでは、特定部２２３は品質影響度Ｑｅを特定し、特定した品質影響度Ｑｅを画像処理部２２２へ送信する。そして、構成ＣｔＢａにおけるステップＳ１４０Ｂでは、画像処理部２２２が、品質影響度Ｑｅが、閾値Ｔｈ１以上であるか否かを判定する。
【０２２０】
構成ＣｔＢａに対応する、前提Ｐｒ１ＢにおけるステップＳ１５０Ｂでは、画像処理部２２２が、品質影響度Ｑｅに基づいた、印刷用画像Ｐｇ２ａ（Ｐｇａ）を加工するための加工処理Ｂを行う。構成ＣｔＢａに対応する、前提Ｐｒ１Ｂにおける加工処理Ｂでは、画像処理部２２２が、品質影響度Ｑｅに基づいて、印刷用画像Ｐｇ２ａ（Ｐｇａ）における構成要素Ｃｐ２ａ（Ｃｐａ）の状態（濃度Ｄｓａ）を変更する。
【０２２１】
構成ＣｔＢａに対応する、前提Ｐｒ１Ｂにおける加工処理Ｂでは、画像処理部２２２が、構成要素Ｃｐ２ａ（Ｃｐａ）の濃度Ｄｓａの濃度値を、前述の変更濃度値に変更する。そして、前述の処理と同様に、両面印刷部６００が、構成要素Ｃｐ２ａ（Ｃｐａ）の状態が変更された印刷用画像Ｐｇ２ａを、面４ａに印刷する。
【０２２２】
なお、前述した濃度、コントラスト、色、輪郭線といった、複数種類の要素状態を使用する構成としてもよい。この場合、変更対象となる、各要素状態の優先順位、調整強度等を予め設定してもよい。
【０２２３】
また、複数種類の要素状態を使用する場合、例えば、表示部２１０が、変更対象となる、各要素状態の優先順位、調整強度等を表示（通知）する構成としてもよい。この場合、ユーザーは、各要素状態の優先順位、調整強度等を設定する操作を行う。
【０２２４】
（機能ブロック図）
図９は、プリントシステムＢＬ１０の特徴的な機能構成を示すブロック図である。プリントシステムＢＬ１０は、プリントシステム１０００，１０００Ａ，１０００Ｂのいずれかに相当する。つまり、図９は、プリントシステムＢＬ１０の有する機能のうち、本発明に関わる主要な機能を示すブロック図である。
【０２２５】
プリントシステムＢＬ１０は、第１面および第２面を有する用紙の当該第１面および当該第２面に選択的に印刷を行う。前記第２面は、前記用紙のうち、前記第１面と反対側の面である。
【０２２６】
前記第１面は、当該第１面に印刷するための画像である第１印刷用画像が印刷されるための面である。前記第２面は、当該第２面に印刷するための画像である第２印刷用画像が印刷されるための面である。
【０２２７】
プリントシステムＢＬ１０は、機能的には、特定部ＢＬ１と、画像処理部ＢＬ２と、両面印刷部ＢＬ３とを備える。
【０２２８】
両面印刷部ＢＬ３は、前記第１面に前記第１印刷用画像を印刷する機能と、前記第２面に前記第２印刷用画像を印刷する機能とを有する。両面印刷部ＢＬ３は、両面印刷部６００に相当する。
【０２２９】
特定部ＢＬ１は、前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定する。特定部ＢＬ１は、特定部２２３に相当する。
【０２３０】
画像処理部ＢＬ２は、特定された前記品質影響度に基づいた、前記第１印刷用画像を加工するための処理を行う。画像処理部ＢＬ２は、画像処理部２２２に相当する。
【０２３１】
（その他の変形例）
以上、本発明に係るプリントシステムについて、各実施の形態に基づいて説明したが、本発明は、当該各実施の形態に限定されるものではない。本発明の主旨を逸脱しない範囲内で、当業者が思いつく変形を各実施の形態に施したものも、本発明に含まれる。つまり、本発明は、その発明の範囲内において、各実施の形態を自由に組み合わせたり、各実施の形態を適宜、変形、省略することが可能である。
【０２３２】
以下においては、本発明に係るプリントシステムを、「プリントシステムｈｚｓ」ともいう。プリントシステムｈｚｓは、プリントシステム１０００，１０００Ａ，１０００Ｂのいずれかである。
【０２３３】
また、プリントシステムｈｚｓは、図で示される全ての構成要素を含まなくてもよい。すなわち、プリントシステムｈｚｓは、本発明の効果を実現できる最小限の構成要素のみを含めばよい。例えば、印刷データ生成部２００が、管理部５００を行う処理をさらに行うようにすれば、プリントシステムｈｚｓは、管理部５００を備えなくてもよい。
【０２３４】
また、プリントシステムｈｚｓに含まれる、特定部２２３および画像処理部２２２の各々の機能は、処理回路により実現されてもよい。
【０２３５】
当該処理回路は、前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定するための回路である。
【０２３６】
また、当該処理回路は、特定された前記品質影響度に基づいた、前記第１印刷用画像を加工するための処理を行うための回路でもある。
【０２３７】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０２３８】
以下においては、処理回路が専用のハードウエアである構成を、「構成Ｃｓ１」ともいう。また、以下においては、処理回路が、プロセッサである構成を、「構成Ｃｓ２」ともいう。また、以下においては、特定部２２３および画像処理部２２２の各々の機能を、ハードウエアとソフトウエアとの組み合わせにより実現する構成を、「構成Ｃｓ３」ともいう。
【０２３９】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。特定部２２３および画像処理部２２２の機能は、それぞれ、２つの処理回路で実現されてもよい。また、特定部２２３および画像処理部２２２の全ての機能が、１つの処理回路で実現されてもよい。
【０２４０】
なお、プリントシステムｈｚｓに含まれる各構成要素の全てまたは一部を、ハードウエアで示した構成は、例えば、以下のようになる。以下においては、プリントシステムｈｚｓに含まれる各構成要素の全てまたは一部を、ハードウエアで示したプリントシステムを、「プリントシステムｈｄ１０」ともいう。
【０２４１】
図１０は、プリントシステムｈｄ１０のハードウエア構成図である。図１０を参照して、プリントシステムｈｄ１０は、プロセッサｈｄ１と、メモリｈｄ２と、印刷装置ｈｄ３とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。
【０２４２】
印刷装置ｈｄ３は、両面印刷部６００に相当する。
【０２４３】
構成Ｃｓ２では、処理回路は、プロセッサｈｄ１である。構成Ｃｓ２では、特定部２２３および画像処理部２２２の各々の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【０２４４】
また、構成Ｃｓ２では、処理回路（プロセッサｈｄ１）が、メモリｈｄ２に記憶されたプログラムを読み出して、当該プログラムを実行することにより、特定部２２３および画像処理部２２２の各々の機能は実現される。すなわち、メモリｈｄ２は、以下のプログラムを格納する。
【０２４５】
当該プログラムは、前記第２印刷用画像が前記第２面に印刷されている状態で前記第１印刷用画像を前記第１面に印刷するための印刷処理が行われると仮定した場合において、当該第２面に印刷されている当該第２印刷用画像の品質に対する、当該印刷処理の影響の大きさを示す品質影響度を特定するステップと、特定された前記品質影響度に基づいた、前記第１印刷用画像を加工するための処理を行うステップとを、処理回路（プロセッサｈｄ１）に実行させるためのプログラムである。
【０２４６】
また、当該プログラムは、特定部２２３および画像処理部２２２の各々が行う処理の手順、当該処理を実行する方法等をコンピュータに実行させるものでもある。
【０２４７】
構成Ｃｓ３では、特定部２２３および画像処理部２２２の一部の機能は、専用のハードウエアで実現される。また、構成Ｃｓ３では、特定部２２３および画像処理部２２２の別の一部の機能は、ソフトウエアまたはファームウエアで実現される。
【０２４８】
例えば、特定部２２３の機能は、処理回路がメモリに格納されたプログラムを読み出して実行することによって実現される。また、例えば、画像処理部２２２の機能は、専用のハードウエアとしての処理回路で実現される。
【０２４９】
以上の構成Ｃｓ１、構成Ｃｓ２および構成Ｃｓ３のように、処理回路は、ハードウエア、ソフトウエア、ファームウエア、またはこれらの組み合わせによって、上述の各機能を実現することができる。
【０２５０】
また、本発明は、プリントシステムｈｚｓが備える特徴的な構成部の動作をステップとする印刷用画像加工方法として実現してもよい。また、本発明は、そのような印刷用画像加工方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２５１】
また、本発明に係る印刷用画像加工方法は、図３の品質対応処理、図６の品質対応処理Ａ、および、図８の品質対応処理Ｂのいずれかに相当する。
【０２５２】
上記実施の形態で用いた全ての数値は、本発明を具体的に説明するための一例の数値である。すなわち、本発明は、上記実施の形態で用いた各数値に制限されない。
【０２５３】
なお、本発明は、その発明の範囲内において、各実施の形態を自由に組み合わせたり、各実施の形態を適宜、変形、省略することが可能である。
【符号の説明】
【０２５４】
２００  印刷データ生成部、２２２，ＢＬ２  画像処理部、２２３，ＢＬ１  特定部、２２４  通知部、２２５  位置変更部、２３０  入力部、６００，ＢＬ３  両面印刷部、１０００，１０００Ａ，１０００Ｂ，ＢＬ１０，ｈｄ１０  プリントシステム。
【図１】
0006719257.tif 000003
【図２】
0006719257.tif 000004
【図３】
0006719257.tif 000005
【図４】
0006719257.tif 000006
【図５】
0006719257.tif 000007
【図６】
0006719257.tif 000008
【図７】
0006719257.tif 000009
【図８】
0006719257.tif 000010
【図９】
0006719257.tif 000011
【図１０】
0006719257.tif 000012